【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
遊技者が表示結果を導出させるために操作する導出操作手段と、
表示結果が導出される前に、入賞について発生を許容するか否かを決定する事前決定手段と、
前記表示結果を導出する制御を行う導出制御手段と、
演出の制御を行う演出制御手段と、
を備え、
前記導出制御手段は、前記事前決定手段の決定結果が所定結果であるときに特定操作手順によって前記導出操作手段が操作されることにより所定表示結果組合せを導出し、前記事前決定手段の決定結果が前記所定結果であるときに前記導出操作手段が前記特定操作手順以外の手順によって操作されたときには前記所定表示結果組合せとは異なる表示結果組合せを導出し、
前記演出制御手段は、前記事前決定手段の決定結果が前記所定結果となったときに、前記所定表示結果組合せの導出可能性がある旨を示唆する示唆表示を表示する制御を行い、その後、前記導出操作手段が前記特定操作手順によって操作されたときには前記示唆表示を更新する制御を行い、前記導出操作手段が前記特定操作手順以外の手順によって操作されたときには前記示唆表示を表示せず背景を表示する制御を行う、
スロットマシン。
【手続補正２】
【補正対象書類名】明細書
【補正対象項目名】０００２
【補正方法】変更
【補正の内容】
【０００２】
また、この種のスロットマシンでは、特許文献１に記載のものがあった。
【手続補正３】
【補正対象書類名】明細書
【補正対象項目名】０００４
【補正方法】変更
【補正の内容】
【０００４】
本発明は、遊技者が遊技中に不信感を感じることを防止できるスロットマシンを提供することを目的とする。
【手続補正４】
【補正対象書類名】明細書
【補正対象項目名】０００５
【補正方法】変更
【補正の内容】
【０００５】
上記課題を解決するために、手段１のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
遊技者が表示結果を導出させるために操作する導出操作手段と、
表示結果が導出される前に、入賞について発生を許容するか否かを決定する事前決定手段と、
前記表示結果を導出する制御を行う導出制御手段と、
演出の制御を行う演出制御手段と、
を備え、
前記導出制御手段は、前記事前決定手段の決定結果が所定結果であるときに特定操作手順によって前記導出操作手段が操作されることにより所定表示結果組合せを導出し、前記事前決定手段の決定結果が前記所定結果であるときに前記導出操作手段が前記特定操作手順以外の手順によって操作されたときには前記所定表示結果組合せとは異なる表示結果組合せを導出し、
前記演出制御手段は、前記事前決定手段の決定結果が前記所定結果となったときに、前記所定表示結果組合せの導出可能性がある旨を示唆する示唆表示を表示する制御を行い、その後、前記導出操作手段が前記特定操作手順によって操作されたときには前記示唆表示を更新する制御を行い、前記導出操作手段が前記特定操作手順以外の手順によって操作されたときには前記示唆表示を表示せず背景を表示する制御を行う
ことを特徴としている。
手段２のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
遊技者が表示結果を導出させるために操作する導出操作手段と、
表示結果が導出される前に、入賞について発生を許容するか否かを決定する事前決定手段と、
前記表示結果を導出する制御を行う導出制御手段と、
を備え、
前記導出制御手段は、
前記複数の可変表示部のうち第１可変表示部及び第２可変表示部が変動しており、前記第１可変表示部に対応する導出操作手段と前記第２可変表示部に対応する導出操作手段が同時に操作されたときに、前記第１可変表示部及び前記第２可変表示部のうち予め定められた一方の可変表示部に表示結果を導出し、他方の可変表示部に表示結果を導出せず、
前記事前決定手段の決定結果が所定結果であるときに特定操作手順によって前記導出操作手段が操作されることにより所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、前記所定表示結果組合せの導出可能性がある旨を示唆する第１演出を実行する第１演出実行制御および前記所定表示結果組合せの導出可能性が前記第１演出よりも高い旨を示唆する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１演出の内容を変化させることなく前記第１演出の実行を継続する制御を行う
ことを特徴としている。
【手続補正５】
【補正対象書類名】明細書
【補正対象項目名】０００６
【補正方法】変更
【補正の内容】
【０００６】
手段３のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せである表示結果組合せに応じて入賞が発生可能なスロットマシンにおいて、
遊技者が表示結果を導出させるために操作する導出操作手段と、
表示結果が導出される前に、入賞について発生を許容するか否かを決定する事前決定手段と、
前記表示結果を導出する制御を行う導出制御手段と、
を備え、
前記導出制御手段は、
前記複数の可変表示部のうち第１可変表示部及び第２可変表示部が変動しており、前記第１可変表示部に対応する導出操作手段と前記第２可変表示部に対応する導出操作手段が同時に操作されたときに、前記第１可変表示部及び前記第２可変表示部のうち予め定められた一方の可変表示部に表示結果を導出し、他方の可変表示部に表示結果を導出せず、
前記事前決定手段の決定結果が入賞の発生を許容する所定結果であるときに特定操作手順によって前記導出操作手段が操作されることにより入賞が発生する所定表示結果組合せを導出し、前記事前決定手段の決定結果が前記所定結果であるときに前記導出操作手段が前記特定操作手順以外の手順によって操作されたときには前記所定表示結果組合せを導出せず、
前記スロットマシンは、前記所定表示結果組合せの導出可能性がある旨を示唆する第１選択肢と前記事前決定手段の決定結果が入賞の発生を許容しない結果であるときに導出される表示結果組合せの導出可能性がある旨を示唆する第２選択肢とを提示する第１演出を実行する第１演出実行制御および前記第１選択肢と前記第２選択肢とのうち前記第１選択肢を選択結果として提示する第２演出を実行する第２演出実行制御を行う演出制御手段をさらに備え、
前記演出制御手段は、前記事前決定手段の決定結果が前記所定結果となり且つ前記第１演出実行制御を行った後に、前記導出操作手段が前記特定操作手順によって操作されたときは前記第２演出実行制御を行い、前記導出操作手段が前記特定操作手順以外の手順によって操作されたときは前記第２演出実行制御を行わずに前記第１選択肢と前記第２選択肢とのうち前記第２選択肢を選択結果として提示する演出を実行する制御を行う
ことを特徴としている。
【手続補正６】
【補正対象書類名】明細書
【補正対象項目名】０００７
【補正方法】変更
【補正の内容】
【０００７】
手段４のスロットマシンは、
各々が識別可能な複数種類の識別情報（図柄）を変動表示可能な複数の可変表示領域（リール２Ｌ、２Ｃ、２Ｒ（左、中、右リール））のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域（左、中、右リール）のそれぞれに導出された前記表示結果の組み合わせに応じて入賞が発生可能とされたスロットマシン（スロットマシン１）であって、
前記可変表示領域（左、中、右リール）に表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたことを特定する導出操作特定手段（スイッチ判定処理）と、
前記導出操作特定手段により該導出操作手段が操作されたことが特定されたとき（ストップスイッチ８Ｌ、８Ｃ、８Ｒの立上りエッジが設定されたとき）に、前記可変表示領域（左、中、右リール）に表示結果を導出させる制御を行う導出制御手段（リールの停止制御）と、
前記複数の可変表示領域（左、中、右リール）のうち所定の可変表示領域（左リール）及び特定の可変表示領域（中、右リール）が変動しており、前記所定の可変表示領域（左リール）に表示結果が導出されるよりも前に前記特定の可変表示領域（中、右リール）に表示結果が導出されたときに遊技者に対する不利益（ペナルティ期間）を発生させることが可能な不利益発生手段（サブ制御部９１によるペナルティ期間の制御）と、
を備え、
前記導出制御手段は、
複数の前記可変表示領域（複数のリール）が変動しており、前記導出操作特定手段により該変動中の可変表示領域のいずれかに対応する導出操作手段の操作が単独で特定されたとき（回転中のリールのうちいずれか１のリールに対応するストップスイッチの立上りエッジのみが設定されたとき）に、該操作が特定された導出操作手段（ストップスイッチ）に対応する可変表示領域（リール）に表示結果を導出させる制御を行い、
前記所定の可変表示領域（左リール）及び前記特定の可変表示領域（中リールまたは右リール）が変動しており、前記導出操作特定手段により前記所定の可変表示領域（左リール）に対応する導出操作手段（ストップスイッチ８Ｌ）の操作と前記特定の可変表示領域（中リールまたは右リール）に対応する導出操作手段（ストップスイッチ８Ｃまたはストップスイッチ８Ｒ）の操作とが同時に特定されたとき（左リールに対応するストップスイッチの立上りエッジと中リールまたは右リールに対応するストップスイッチの立上りエッジが同時に設定されたとき）に、前記所定の可変表示領域（左リール）に表示結果を導出させる制御を行わず、前記特定の可変表示領域（中リールまたは右リール）に表示結果を導出させる制御を行う
ことを特徴としている。
この特徴によれば、所定の可変表示領域及び特定の可変表示領域が変動しており、所定の可変表示領域に表示結果が導出されるよりも前に特定の可変表示領域に表示結果が導出されることで遊技者に対して不利益が発生する可能性のある状況において、所定の可変表示領域に対応する導出操作手段の操作と特定の可変表示領域に対応する導出操作手段の操作とが同時に特定されたときには、遊技者に対して不利益が発生しない所定の可変表示領域に表示結果を導出させる制御が行われず、遊技者に対して不利益が発生し得る特定の可変表示領域に表示結果を導出させる制御が行われるようになっており、所定の可変表示領域に対応する導出操作手段の操作と特定の可変表示領域に対応する導出操作手段の操作とが同時に特定された場合、すなわち何らかの不正行為が行われている可能性が疑われる場合には、遊技者にとって不利益が発生し得ることとなるため、遊技者による不正行為を抑制することができる。
【手続補正７】
【補正対象書類名】明細書
【補正対象項目名】０００８
【補正方法】変更
【補正の内容】
【０００８】
手段５のスロットマシンは、
各々が識別可能な複数種類の識別情報（図柄）を変動表示可能な複数の可変表示領域（リール２Ｌ、２Ｃ、２Ｒ（左、中、右リール））のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域（左、中、右リール）のそれぞれに導出された前記表示結果の組み合わせに応じて入賞が発生可能とされたスロットマシン（スロットマシン１）であって、
前記可変表示領域（左、中、右リール）に表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたことを特定する導出操作特定手段（スイッチ判定処理）と、
前記導出操作特定手段により該導出操作手段が操作されたことが特定されたとき（ストップスイッチ８Ｌ、８Ｃ、８Ｒの立上りエッジが設定されたとき）に、前記可変表示領域（左、中、右リール）に表示結果を導出させる制御を行う導出制御手段（リールの停止制御）と、
遊技者に対する不利益（ペナルティ期間）を発生させることが可能な不利益発生手段（サブ制御部９１によるペナルティ期間の制御）と、
を備え、
前記導出制御手段は、
複数の前記可変表示領域（複数のリール）が変動しており、前記導出操作特定手段により該変動中の可変表示領域のいずれかに対応する導出操作手段の操作が単独で特定されたとき（回転中のリールのうちいずれか１のリールに対応するストップスイッチの立上りエッジのみが設定されたとき）に、該操作が特定された導出操作手段（ストップスイッチ）に対応する可変表示領域（リール）に表示結果を導出させる制御を行い、
前記複数の可変表示領域（複数のリール）のうち所定の可変表示領域（左リール）及び特定の可変表示領域（中リールまたは右リール）が変動しており、前記導出操作特定手段により前記所定の可変表示領域（左リール）に対応する導出操作手段（ストップスイッチ８Ｌ）の操作と前記特定の可変表示領域（中リールまたは右リール）に対応する導出操作手段（ストップスイッチ８Ｃまたはストップスイッチ８Ｒ）の操作とが同時に特定されたときに、前記所定の可変表示領域（左リール）及び前記特定の可変表示領域（中リールまたは右リール）にそれぞれ表示結果を導出させる制御を行い、
前記不利益発生手段は、
前記複数の可変表示領域（複数のリール）のうち前記所定の可変表示領域（左リール）及び前記特定の可変表示領域（中リールまたは右リール）が変動しており、前記所定の可変表示領域（左リール）に表示結果が導出されるよりも前に前記特定の可変表示領域（右リール）に表示結果が導出されたときに前記不利益（ペナルティ期間）を発生させることが可能な第１の不利益発生手段と、
前記複数の可変表示領域（複数のリール）のうち前記所定の可変表示領域（左リール）及び前記特定の可変表示領域（中リールまたは右リール）が変動しており、前記導出操作特定手段により前記所定の可変表示領域（左リール）に対応する導出操作手段（ストップスイッチ８Ｌ）の操作と前記特定の可変表示領域（中リールまたは右リール）に対応する導出操作手段（ストップスイッチ８Ｃまたはストップスイッチ８Ｒ）の操作とが同時に特定されたときに前記不利益（ペナルティ期間）を発生させることが可能な第２の不利益発生手段と、
を含む
ことを特徴としている。
この特徴によれば、所定の可変表示領域及び特定の可変表示領域が変動しており、所定の可変表示領域に表示結果が導出されるよりも前に特定の可変表示領域に表示結果が導出されることで遊技者に対して不利益が発生する可能性のある状況において、所定の可変表示領域に対応する導出操作手段の操作と特定の可変表示領域に対応する導出操作手段の操作とが同時に特定されたときには、所定の可変表示領域及び特定の可変表示領域にそれぞれ表示結果を導出させる制御が行われるとともに、このような場合、すなわち何らかの不正行為が行われている可能性が疑われる場合には、表示結果が導出された順番に関わらず、遊技者にとって不利益が発生し得ることとなるため、遊技者による不正行為を抑制することができる。
【手続補正８】
【補正対象書類名】明細書
【補正対象項目名】００１０
【補正方法】変更
【補正の内容】
【００１０】
手段６のスロットマシンは、手段４または５のスロットマシンであって、
前記可変表示領域（リール２Ｌ、２Ｃ、２Ｒ）に表示結果が導出される前に入賞の発生を許容するか否かを決定する事前決定手段（内部抽選）を備え、
前記導出制御手段は、前記事前決定手段の決定結果（内部抽選結果）が前記特定結果（押し順ベル／リプレイＧＲ１〜６／リプレイＧＲ１１〜１３／リプレイＧＲ２１〜２３）であり、前記所定の可変表示領域（左リール）及び前記特定の可変表示領域（中、右リール）が変動しており、前記所定の可変表示領域（左リール）に表示結果が導出されるよりも前に前記特定の可変表示領域（中、右リール）に表示結果が導出されたときに、遊技者にとって有利な第２の表示結果の組み合わせ（中段ベル、上段ベル／昇格リプレイ／通常リプレイ／特殊リプレイ）を導出可能に制御を行い、
前記不利益発生手段は、
前記所定の可変表示領域（左リール）及び前記特定の可変表示領域（中、右リール）が変動しており、前記導出操作特定手段により前記所定の可変表示領域（左リール）に対応する導出操作手段（ストップスイッチ８Ｌ）の操作と前記特定の可変表示領域（中、右リール）に対応する導出操作手段（ストップスイッチ８Ｃ、８Ｒ）の操作とがそれぞれ特定されることで前記所定の可変表示領域（左リール）に表示結果が導出されるよりも前に前記特定の可変表示領域（中、右リール）に表示結果が導出されたときには、前記第２の組み合わせ（中段ベル、上段ベル／昇格リプレイ／通常リプレイ／特殊リプレイ）が導出されたときに前記不利益（ペナルティ期間）を発生させ、前記第２の組み合わせ（中段ベル、上段ベル／昇格リプレイ／通常リプレイ／特殊リプレイ）が導出されなかったときに前記不利益（ペナルティ期間）を発生させず、
前記所定の可変表示領域（左リール）及び前記特定の可変表示領域（中、右リール）が変動しており、前記導出操作特定手段により前記所定の可変表示領域（左リール）に対応する導出操作手段（ストップスイッチ８Ｌ）の操作と前記特定の可変表示領域（中、右リール）に対応する導出操作手段（ストップスイッチ８Ｃ、８Ｒ）の操作とが同時に特定されることで前記所定の可変表示領域（左リール）に表示結果が導出されるよりも前に前記特定の可変表示領域（中、右リール）に表示結果が導出されたときには、前記第２の組み合わせ（中段ベル、上段ベル／昇格リプレイ／通常リプレイ／特殊リプレイ）が導出されたか否かに関わらず前記不利益（ペナルティ期間）を発生させる
ことを特徴としている。
この特徴によれば、遊技者が導出操作手段を通常の態様にて操作した結果、所定の可変表示領域に表示結果が導出されるよりも前に特定の可変表示領域に表示結果が導出されたときには、遊技者にとって有利となる場合のみ不利益が発生するのに対して、所定の可変表示領域に対応する導出操作手段の操作と特定の可変表示領域に対応する導出操作手段の操作とが同時に特定され、所定の可変表示領域に表示結果が導出されるよりも前に特定の可変表示領域に表示結果が導出されたとき、すなわち何らかの不正行為が行われている可能性が疑われるときには、遊技者にとって有利となるか否かに関わらず不利益が発生するので、遊技者による不正行為を効果的に抑制することができる。
【手続補正９】
【補正対象書類名】明細書
【補正対象項目名】００１１
【補正方法】変更
【補正の内容】
【００１１】
手段７のスロットマシンは、手段４〜６のいずれかのスロットマシンであって、
前記複数の可変表示領域（左、中、右リール）のうち所定の可変表示領域（左リール）及び特定の可変表示領域（中、右リール）が変動しており、前記所定の可変表示領域（左リール）に表示結果が導出されるよりも前に前記特定の可変表示領域（中、右リール）に表示結果が導出されたときに警告を行う警告手段（サブ制御部９１による警告報知）を備え、
前記警告手段は、前記導出操作特定手段により前記所定の可変表示領域（左リール）に対応する導出操作手段（ストップスイッチ８Ｌ）の操作と前記特定の可変表示領域（中、右リール）に対応する導出操作手段（ストップスイッチ８Ｃ、８Ｒ）の操作とがそれぞれ特定されることで前記所定の可変表示領域（左リール）に表示結果が導出されるよりも前に前記特定の可変表示領域（中、右リール）に表示結果が導出されたときと、前記導出操作特定手段により前記所定の可変表示領域（左リール）に対応する導出操作手段（ストップスイッチ８Ｌ）の操作と前記特定の可変表示領域（中、右リール）に対応する導出操作手段（ストップスイッチ８Ｃ、８Ｒ）の操作とが同時に特定されることで前記所定の可変表示領域（左リール）に表示結果が導出されるよりも前に前記特定の可変表示領域（中、右リール）に表示結果が導出されたときと、で異なる態様の前記警告（前者は警告Ａの出力を伴う通常ペナルティ警告報知、後者は警告音Ｂの出力を伴う同時操作警告報知）を行う
ことを特徴としている。
この特徴によれば、遊技者が導出操作手段を通常の態様にて操作した結果、所定の可変表示領域に表示結果が導出されるよりも前に特定の可変表示領域に表示結果が導出されたときと、所定の可変表示領域に対応する導出操作手段の操作と特定の可変表示領域に対応する導出操作手段の操作とが同時に特定され、所定の可変表示領域に表示結果が導出されるよりも前に特定の可変表示領域に表示結果が導出されたときと、で警告の態様が異なるため、遊技場の店員に対して何らかの不正行為が行われている可能性が疑われる事象が発生したことを認識させることができる。
【手続補正１０】
【補正対象書類名】明細書
【補正対象項目名】００１２
【補正方法】変更
【補正の内容】
【００１２】
手段８のスロットマシンは、手段４〜７のいずれかのスロットマシンであって、
前記導出操作特定手段により複数の導出操作手段（ストップスイッチ８Ｌ、８Ｃ、８Ｒ）の操作が同時に特定されたとき（複数のストップスイッチの立上りエッジが同時に設定されたとき）に、遊技の進行を不能化する不能化手段（同時操作の検出に伴うエラー状態）を備える
ことを特徴としている。
この特徴によれば、何らかの不正行為が行われている可能性が疑われる事象が発生した場合に遊技の進行が不能化されるので、不正行為がされた可能性が疑われる事象が発生しているにも関わらず、遊技が続行できてしまうことを防止できる。
【手続補正１１】
【補正対象書類名】明細書
【補正対象項目名】００１３
【補正方法】変更
【補正の内容】
【００１３】
手段９のスロットマシンは、手段４〜８のいずれかのスロットマシンであって、
前記特定の可変表示領域は複数（中、右リール）であり、
前記導出制御手段は、複数の前記特定の可変表示領域（中、右リール）が変動しており、前記導出操作特定手段により複数の前記特定の可変表示領域に対応する導出操作手段の操作が同時に特定されたとき（中リールに対応するストップスイッチ８Ｃの立上りエッジと右リールに対応するストップスイッチ８Ｒの立上りエッジとが同時に設定されたとき）に、該操作が特定された導出操作手段（ストップスイッチ８Ｃ、８Ｒ）に対応する複数の前記特定の可変表示領域（中、右リール）のうち予め定められた一の特定の可変表示領域（右リール）に表示結果を導出させる制御を行う
ことを特徴としている。
この特徴によれば、複数の特定の可変表示領域に対応する導出操作手段の操作が同時に特定されたときにも、優先して表示結果が導出されることとなる特定の可変表示領域が予め定まっているため、操作が同時に特定されたことに伴って可変表示領域に表示結果を導出させる際の制御を簡素化できる。
【手続補正１２】
【補正対象書類名】明細書
【補正対象項目名】００１４
【補正方法】変更
【補正の内容】
【００１４】
手段１０のスロットマシンは、手段４〜９のいずれかのスロットマシンであって、
前記可変表示領域（リール２Ｌ、２Ｃ、２Ｒ）に表示結果が導出される前に入賞の発生を許容するか否かを決定する事前決定手段（内部抽選）を備え、
前記導出制御手段は、
前記事前決定手段の決定結果（内部抽選結果）が所定結果（左ベル）であるときに、前記複数の可変表示領域（左、中、右リール）のうち所定の可変表示領域（左リール）及び特定の可変表示領域（中、右リール）が変動しており、前記特定の可変表示領域（中、右リール）に表示結果が導出されるよりも前に前記所定の可変表示領域（左リール）に表示結果が導出されることにより当該所定の可変表示領域（左リール）に所定時表示結果（右下がりベルを入賞可能な停止位置）を導出させ、その後に残りの全ての前記可変表示領域に表示結果が導出されたときには所定表示結果の組み合わせ（右下がりベルの組み合わせ）を導出させ、
前記事前決定手段の決定結果（内部抽選結果）が前記所定結果（左ベル）であるときに、前記複数の可変表示領域（左、中、右リール）のうち所定の可変表示領域（左リール）及び特定の可変表示領域（中、右リール）が変動しており、前記所定の可変表示領域（左リール）に表示結果が導出されるよりも前に前記特定の可変表示領域（中、右リール）に表示結果が導出され、その後に残りの全ての前記可変表示領域に表示結果が導出されたときには前記所定表示結果の組み合わせ（右下がりベルの組み合わせ）を導出させず、
前記所定時表示結果（右下がりベルを入賞可能な停止位置）は、前記事前決定手段の決定結果（内部抽選結果）が前記所定結果（左ベル）以外の決定結果であるときにも、前記複数の可変表示領域（左、中、右リール）のうち所定の可変表示領域（左リール）及び特定の可変表示領域（中、右リール）が変動しており、前記特定の可変表示領域（中、右リール）に表示結果が導出されるよりも前に前記所定の可変表示領域（左リール）に表示結果が導出されることにより当該所定の可変表示領域（左リール）に表示される表示結果であり、
前記スロットマシンは、
前記所定表示結果の組み合わせ（右下がりベルの組み合わせ）の導出可能性がある旨を示唆する第１所定演出（入賞表示結果示唆画面）を実行する第１所定演出実行制御及び前記所定表示結果の組み合わせの導出可能性が前記第１所定演出よりも高い旨を示唆する第２所定演出（入賞表示結果確定画面）を実行する第２所定演出実行制御を行う所定演出制御手段（サブ制御部９１による内部当選示唆演出の制御）をさらに備え、
前記所定演出制御手段は、前記事前決定手段の決定結果（内部抽選結果）が前記所定結果（左ベル）となりかつ前記第１所定演出実行制御を行った後に、前記複数の可変表示領域（左、中、右リール）のうち所定の可変表示領域（左リール）及び特定の可変表示領域（中、右リール）が変動しており、前記特定の可変表示領域（中、右リール）に表示結果が導出されるよりも前に前記所定の可変表示領域（左リール）に表示結果が導出されたときには前記第２所定演出実行制御を行い、前記所定の可変表示領域（左リール）に表示結果が導出されるよりも前に前記特定の可変表示領域（中、右リール）に表示結果が導出されたときには前記第２所定演出実行制御を行わずに特殊制御（通常ペナルティ警告報知、同時操作警告報知）を行う
ことを特徴としている。
この特徴によれば、複数の可変表示領域のうち所定の可変表示領域及び特定の可変表示領域が変動しており、所定の可変表示領域に表示結果が導出されるよりも前に前記特定の可変表示領域に表示結果が導出されることで所定表示結果の組み合わせが表示されない場合に、報知した表示結果の内容と実際の表示結果とに矛盾が生じることを防止することができる。
尚、第２所定演出は、所定表示結果が確実に導出されること（すなわち、所定表示結果の組み合わせの導出可能性が１００％であること）を示唆しても良いし、所定表示結果の組み合わせが第１所定演出よりも高い割合で導出されることを示唆しても良い。